(57)【要約】【課題】  天井または天板の下面に取り付けても、被掛止物を直接または吊り環を介して脱落不能に吊持状態で掛止し得て、使用範囲を拡大することができる掛止具を提供する。【解決手段】  掛止具１は、裏面に被着体への取付部２を設けたベース３と、このベース３の表面に取付けた掛止体４とを備えている。掛止体４は、アーチ形に形成されたステンレス鋼の丸棒からなる上下一対の掛止単体４Ａ，４Ｂによって構成され、各掛止単体４Ａ，４Ｂの先端４ａ，４ｂは、小さい隙間８を介して互いに対向しており、上側の掛止単体４Ａの基端部４ａ１は、回転機構１２を介してベース３の肉厚方向に水平にのびる第１軸線５まわりの回転を可能に該ベース３に取り付けられており、下側の掛止単体４Ｂの基端部４ｂ１はベース３に回転不能に固定されている。【選択図】        図５
2010038306.tif 000002
【特許請求の範囲】
【請求項１】
裏面に被着体への取付部を設けたベースと、このベースに取付けられて被掛止物を掛脱可能に掛止する掛止体とを備える掛止具であって、
前記掛止体は、アーチ形または門形に形成されて先端が互いに対向するとともに、基端部が前記ベースに取り付けられた一対の掛止単体からなり、
これら掛止単体のうちの少なくとも一方の掛止単体の基端部が前記ベースの肉厚方向にのびる第１軸線まわりまたは該第１軸線に直交する第２軸線まわりのいずれかの回転を可能に前記ベースに取り付けられていることを特徴とする掛止具。
【請求項２】
請求項１に記載の掛止具において、
アーチ形または門形に形成された前記一対の掛止単体の先端は、小さい隙間を介して互いに対向していることを特徴とする掛止具。
【請求項３】
請求項１または請求項２に記載の掛止具において、
前記一対の掛止単体は、ステンレス鋼の丸棒からなることを特徴とする掛止具。
【発明の詳細な説明】
【技術分野】
【０００１】
本発明は、掛止具に係り、詳しくは、壁面、柱、天井や天板の下面などに貼着して、吊り環を介して被掛止物を吊持状態で掛け止める掛止具に関するものである。
【背景技術】
【０００２】
従来の掛止具として、たとえば図１０，図１１に示す掛止具５０が知られている。
【０００３】
掛止具５０は、ホットメルト接着材層からなる被着体への取付部５１を裏面に設けた樹脂製のベース５２と、額ぶちやカレンダーなど掛止物（図示省略）を掛脱可能に支持または吊持状態で掛け止める上向きＵ字状のフック部５３が下端側に設けられ、かつ、上端部を下向き鉤形の基端部５４とし、この基端部５４とフック部５３が上下にのびる胴部５５を介して連続する投影側面形状が略釣針形で鋼板製の掛止体５６とを備え、この掛止体５６は、基端部５４および胴部５５を嵌合溝５７に嵌合した鉛直な姿勢でベース５２に取り付けられて、フック部５３をベース５２の下側で該ベース５２の表面５２ａから前方に離間させた状態で上向きに開放させている。
【０００４】
前記構成の掛止具５０は、被着体への取付部５１をライターの火焔などで炙って軟化溶融させたのち、図１２に示すように、ベース５２を壁や柱などの被着体５８の鉛直な表面５８ａに押し付けた状態で被着体への取付部５１を冷却固化させることで、鉛直な表面５８ａに強固に取り付けることができ、このように取り付けられた掛止具５０のフック部５３で、たとえば額ぶちやカレンダーなどの被掛止物を掛脱可能に支持したり、前記被掛止物を吊持状態で直接または吊り環を介して掛け止めたり、あるいはフック部５３で被掛止物である棚を掛脱可能に支持状態で掛け止め、この棚の物品載置面にたとえば台所用品や日用品などの物品を載置することができる。
【特許文献１】特になし。
【発明の開示】
【発明が解決しようとする課題】
【０００５】
前記従来の掛止具５０は、掛止体５６が揺動不能にベース５２に取り付けられて、そのフック部５３がベース５２の表面５２ａから前方に離間した状態で上向きに開放しているので、図１２に示す壁や柱などの被着体５８の鉛直な表面５８ａに取り付けて、前記被掛止物を掛脱可能に支持または吊持状態で掛け止めるのにすこぶる好適であるといえる。ところが、図１３に示すように、被着体５９が天井または天板であると、掛止具５０は、被着体５９の水平な下向きの面５９ａに取り付けられてフック部５３が横向きに開放することになる。このように、フック部５３が横向きに開放した状態では、このフック部５３で被掛止物を吊持状態で直接または吊り環を介して掛け止めても、小さな外力によって簡単に脱落する。したがって、従来の掛止具５０は、図１３に示す天井または天板のように水平な下向きの面５９ａｂを有する被着体５９への取り付けが制約されて、使用範囲が図１２に示す鉛直な表面５８ａを有する壁や柱などの被着体５８のみの狭い範囲に制限される。
【０００６】
本発明は、このような問題を解決するものであって、その目的とするところは、天井または天板の下面に取り付けても、被掛止物を直接または吊り環を介して脱落不能に吊持状態で掛止し得て、使用範囲を拡大することができる掛止具を提供することにある。
【課題を解決するための手段】
【０００７】
前記目的を達成するために、本発明に係る掛止具は、裏面に被着体への取付部を設けたベースと、このベースに取付けられて被掛止物を掛脱可能に掛止する掛止体とを備える掛止具であって、
前記掛止体は、アーチ形または門形に形成されて先端が互いに対向するとともに、基端部が前記ベースに取り付けられた一対の掛止単体からなり、
これら掛止単体のうちの少なくとも一方の掛止単体の基端部が前記ベースの肉厚方向にのびる第１軸線まわりまたは該第１軸線に直交する第２軸線まわりのいずれかの回転を可能に前記ベースに取り付けられていることを特徴としている。
【０００８】
これによれば、掛止体を上下方向に指向させて、取付部により壁や柱などの被着体の鉛直な表面にベースを取り付け、一対の掛止単体における上側に位置している一方の掛止単体の基端部を第１軸線または第２軸線まわりに回動させると、該一方の掛止単体の先端は下側に位置している他方の掛止単体の先端から離れて、他方の掛止単体先端の上側が開放されるので、他方の掛止単体に被掛止物を直接または吊り環を介して吊持状態で仮に掛止することができ、被掛止物の仮掛止後に前記一方の掛止単体の基端部を第１軸線または第２軸線まわりに逆回動させて、一対の掛止単体でアーチ形または門形を形成して各掛止単体の先端を互いに対向させることにより、アーチ形または門形に形成された掛止体によって被掛止物を脱落不能に吊持状態で掛止することができる。
【０００９】
一方、掛止体を下向きに指向させて、取付部により天井または天板などの下面にベースを取り付け、一対の掛止単体における一側に位置している一方の掛止単体の基端部を第１軸線または第２軸線まわりに回動させると、該一方の掛止単体の先端は他側に位置している他方の掛止単体の先端から離れて、他方の掛止単体先端の一側が開放されるので、他方の掛止単体に被掛止物を直接または吊り環を介して吊持状態で仮に掛止することができ、被掛止物の仮掛止後に前記一方の掛止単体の基端部を第１軸線または第２軸線まわりに逆回動させて、一対の掛止単体でアーチ形または門形を形成して各掛止単体の先端を互いに対向させることにより、アーチ形または門形に形成された掛止体によって被掛止物を脱落不能に吊持状態で掛止することができる。したがって、掛止具の使用範囲が拡大する。
【００１０】
また、本発明に係る掛止具では、アーチ形または門形に形成された前記一対の掛止単体の先端は、小さい隙間を介して互いに対向していることが望ましい。これによると、直接または吊り環を介して吊持状態で掛止されている被掛止物の被吊持部が揺動や振動などで各掛止単体の先端へ移動しても、該先端は小さい隙間を介して互いに対向していることにより、被吊持部の隙間通過を阻止して被掛止物が脱落するのを防止できる。
【００１１】
さらに、本発明に係る掛止具では、一対の掛止単体を、ステンレス鋼の丸棒によって作製することが望ましい。これによると、ステンレス鋼保有の高い強度と丸棒の耐曲げ特性により、掛止体の耐荷重性を向上させて重量の重い被掛止物の吊持掛止を許容できる。
【発明の効果】
【００１２】
本発明に係る掛止具によれば、これを天井または天板の下面に取り付けても、被掛止物を直接または吊り環を介して脱落不能に吊持状態で掛止できるので、使用範囲が拡大される。
【発明を実施するための最良の形態】
【００１３】
以下、本発明の好ましい実施形態を図面に基づいて説明する。
図１は本発明に係る掛止具の第１実施形態を示す正面図、図２は図１の右側面図、図３は図１の平面図である。
図１〜図３において、掛止具１は、被着体への取付部２を裏面に設けたベース３と、被掛止物を掛脱可能に掛止する掛止体４とを備えている。
【００１４】
被着体への取付部２は、ポリアミド系、ポリエステル系、ポリオレフィン系のＥＶＡ（エチレン・酢酸ビニル共重合体）などの樹脂材や合成ゴム材などのホットメルト接着材層からなり、ベース３の裏面に貼着して形成されている。
【００１５】
ベース３は、長円形を呈する樹脂製のもので、その表面に掛止体４が取付けられている。
【００１６】
掛止体４は、アーチ形に形成されたステンレス鋼の丸棒からなる上下一対の掛止単体４Ａ，４Ｂによって構成され、各掛止単体４Ａ，４Ｂの先端４ａ，４ｂは、丸棒の軸線に直交する平坦面からなり、かつ、小さい隙間８を介して互いに対向しているとともに、上側の掛止単体４Ａの基端部４ａ１は、回転機構１２を介してベース３の肉厚方向に水平にのびる第１軸線５まわりの回転を可能に該ベース３に取り付けられており、下側の掛止単体４Ｂの基端部４ｂ１はベース３に適宜回転不能に固定されている。
【００１７】
回転機構１２は、上側の掛止単体４Ａの基端部４ａ１に連設した円盤１２ａと、円盤１２ａの偏心位置においてベース３の肉厚方向に水平にのびる第１軸線５を回転軸として右側に少しのびる回転軸１２ｂと、この回転軸１２ｂの雄ねじに螺着されるナット１２ｃとを備え、円盤１２ａは、ベース３の表面における上半部の領域に形成した円形凹部３Ａ内で、その底部３Ａ１に第１軸線５まわりの偏心回転を可能に当接しており、回転軸１２ｂの先端部は、底部３Ａ１を貫通してベース３の裏面側に形成した凹部３Ｂに臨み、この先端部にナット１２ｃが螺着されている。また、下側の掛止単体４Ｂの基端部４ｂ１は、インサート成形、あるいは基端部４ｂ１に連設した雄ねじ（図示省略）にナット（図示省略）を締結して、これら雄ねじおよびナットをベース３に埋設する等の周知の締結構造によって、ベース３に回転不能に固定されている。
【００１８】
前記第１実施形態の掛止具１は、被着体への取付部２をライターの火焔などで炙って軟化溶融させたのち、掛止体４を上下方向に指向させて、ベース３を壁や柱などの被着体９の鉛直な表面９ａに押し付けた状態で被着体への取付部２を冷却固化させることで、前記鉛直な表面９ａに強固に取り付けることができる。
【００１９】
このような取付状態で、上側に位置している一方の掛止単体４Ａの基端部４ａ１を、図１における第１軸線５まわりにたとえば時計方向へ４５度回動させると、該一方の掛止単体４Ａの先端４ａは二点鎖線で示すように、下側に位置している他方の掛止単体４Ｂの先端４ｂから離れて、該他方の掛止単体４Ｂの先端４ｂの上側が開放されるので、この他方の掛止単体４Ｂに対して、図４（ａ）に示す被掛止物１１上端部の透孔１１ａを利用して、図１の二点鎖線で示すように、被掛止物１１を直接吊持状態で仮に掛止したり、図４（ｂ）に示す被掛止物１１は、図２の一点鎖線で示すように、吊り環１１ｂを介して仮に掛止することができる。
【００２０】
前記被掛止物１１の仮掛止後に、一方の掛止単体４Ａの基端部４ａ１を第１軸線５まわりに反時計方向へ４５度逆回動させて、一対の掛止単体４Ａ，４Ｂでアーチ形を形成して各掛止単体４Ａ，４Ｂの先端４ａ，４ｂを小さい隙間８を介して互いに対向させることにより、アーチ形に形成された掛止体４によって被掛止物１１を脱落を不能に吊持状態で掛止することができる。
【００２１】
一方、図５のように、掛止体４を下向きに指向させて、取付部２によりベース３を天井または天板などの被着体１０の下面１０ａに取り付けても、一対の掛止単体４Ａ，４Ｂにおける左側に位置している一方の掛止単体４Ａの基端部４ａ１を第１軸線５まわりに回動させることにより、該一方の掛止単体４Ａの先端４ａは右側に位置している他方の掛止単体４Ｂの先端４ｂから離れて、該他方の掛止単体４Ｂの先端４ｂが開放されるので、この他方の掛止単体４Ｂに対して、図４（ａ）に示す被掛止物１１の透孔１１ａを利用して、図５の二点鎖線で示すように、被掛止物１１を直接吊持状態で仮に掛止したり、図５の一点鎖線で示すように、吊り環１１ｂを介して被掛止物１１を仮に掛止することができる。
【００２２】
前記被掛止物１１の仮掛止後に、左側の掛止単体４Ａの基端部４ａ１を第１軸線５まわりに逆回動させて、一対の掛止単体４Ａ，４Ｂでアーチ形を形成して各掛止単体４ａ，４ｂの先端４ａ，４ｂを小さい隙間８を介して互いに対向させる。これにより、アーチ形に形成された掛止体４によって、被掛止物１１を脱落不能に吊持状態で掛止することができる。したがって、掛止具１の使用範囲が拡大する。
【００２３】
図５の二点鎖線で示す被掛止物１１の被吊持部である透孔１１ａの内面が各掛止単体４Ａ，４Ｂの先端４ａ，４ｂで吊持されても、あるいは図５の一点鎖線で示す被掛止物１１の被吊持部である吊り環１１ｂの内面が各掛止単体４Ａ，４Ｂの先端４ａ，４ｂで吊持されても、該先端４ａ，４ｂは小さい隙間８を介して互いに対向していることにより、前記被吊持部の隙間８通過を阻止して被掛止物１１が脱落するのを防止できる。
【００２４】
つぎに、本発明に係る掛止具の第２実施形態について説明する。
図６は本発明に係る掛止具の第２実施形態を示す正面図、図７は図６の右側面図、図８は図６の平面図である。なお、前記第１実施形態で説明した掛止具１と同一または相当部分には同一符号を付して重複する構造の説明は省略する。
【００２５】
図６〜図８において、ベース３は、四つのコーナ部が面取りされた略正方形を呈する樹脂製の角盤からなり、上下で互いに対向する二つ辺３ａ，３ｂには、鉛直な第２軸線６を中心軸線とした盲貫孔７が形成されている。
【００２６】
掛止体４は、門形に形成されたステンレス鋼の丸棒からなる上下一対の掛止単体４Ａ，４Ｂによって構成され、各掛止単体４Ａ，４Ｂの先端４ａ，４ｂは略球状に形成され、かつ、小さい隙間８を介して互いに対向しているとともに、基端部４ａ１，４ｂ１は互いに対向する方向へ鉛直に折り曲げて、ベース３の各辺３ａ，３ｂに形成した盲貫孔７に第２軸線６まわりの回転を可能に挿入されている。これにより、各掛止単体４Ａ，４Ｂは、前記第１実施形態の水平な第１軸線５に直交する鉛直な第２軸線６まわりの回転を可能にベース３に取り付けられることになる。
【００２７】
前記第２実施形態の掛止具１は、被着体への取付部２をライターの火焔などで炙って軟化溶融させたのち、掛止体４を上下方向に指向させて、ベース３を壁や柱などの被着体９の鉛直な表面９ａに押し付けた状態で被着体への取付部２を冷却固化させることで、前記鉛直な表面９ａに強固に取り付けることができる。
【００２８】
このような取付状態で、上側に位置している一方の掛止単体４Ａの基端部４ａ１を第２軸線６まわりに９０度回動させることにより、該一方の掛止単体４Ａの先端４ａは、図６の二点鎖線で示すように、下側に位置している他方の掛止単体４Ｂの先端４ｂから離れて、該他方の掛止単体４Ｂの先端４ｂの上側が開放されるので、この他方の掛止単体４Ｂに対して、図４（ａ）に示す被掛止物１１上端部の透孔１１ａを利用して、図６の二点鎖線で示すように、被掛止物１１を直接吊持状態で仮に掛止したり、図４（ｂ）に示す被掛止物１１は、図７の一点鎖線で示すように、吊り環１１ｂを介して仮に掛止することができる。
【００２９】
前記被掛止物１１の仮掛止後に、一方の掛止単体４Ａの基端部４ａ１を第２軸線６まわりに９０度逆回動させて、一対の掛止単体４Ａ，４Ｂで門形を形成して各掛止単体４ａ，４ｂの先端を小さい隙間８を介して互いに対向させることにより、門形に形成された掛止体４によって被掛止物１１を脱落を不能に吊持状態で掛止することができる。
【００３０】
一方、図９のように、掛止体４を下向きに指向させて、取付部２によりベース３を天井または天板などの被着体１０の下面１０ａに取り付けても、一対の掛止単体４Ａ，４Ｂにおける左側に位置している一方の掛止単体４Ａの基端部４ａ１を第２軸線６まわりに回動させることにより、該一方の掛止単体４Ａの先端４ａは右側に位置している他方の掛止単体４Ｂの先端４ｂから離れて、該他方の掛止単体４Ｂの先端４ｂが開放されるので、この他方の掛止単体４Ｂに対して、図４（ａ）に示す被掛止物１１の透孔１１ａを利用して、図９の二点鎖線で示すように、被掛止物１１を直接吊持状態で仮に掛止したり、図９の一点鎖線で示すように、吊り環１１ｂを介して被掛止物１１を仮に掛止することができる。
【００３１】
前記被掛止物１１の仮掛止後に、左側の掛止単体４Ａの基端部４ａ１を第２軸線６まわりに逆回動させて、一対の掛止単体４Ａ，４Ｂで門形を形成して各掛止単体４ａ，４ｂの先端を小さい隙間８を介して互いに対向させる。これにより、門形に形成された掛止体４によって、被掛止物１１を脱落不能に吊持状態で掛止することができる。したがって、掛止具１の使用範囲が拡大する。
【００３２】
図９の二点鎖線で示す被掛止物１１の被吊持部である透孔１１ａの内面が揺動や振動などで隙間８へ移動しようとしても、あるいは図９の一点鎖線で示す被掛止物１１の被吊持部である吊り環１１ｂの内面が揺動や振動などで隙間８へ移動しようとしても、各掛止単体４Ａ，４Ｂの先端４ａ，４ｂは略球状に形成されているので、小さい隙間８への移動を抑えることができる。しかし、前記透孔１１ａの内面や吊り環１１ｂの内面が、万一、略球状に形成されている先端４ａ，４ｂに乗り上がっても、小さい隙間８は前記被吊持部の通過を阻止して被掛止物１１が脱落するのを防止できる。
【００３３】
図９で説明した前述の作動は、一方の掛止単体４Ａに代えて、他方の掛止単体４Ｂを第２軸線６まわりに正逆回動させることによっても実現できる。また、掛止単体４Ａ，４Ｂのいずれか一方を第２軸線６まわりの回転を可能とし、それ以外の掛止単体４Ａまたは掛止単体４Ｂは、第２軸線６まわりの回転を不能にベース３に固定した構成であってもよい。
【００３４】
前記各実施形態では、掛止体４を構成している各掛止単体４Ａ，４Ｂは、ステンレス鋼の丸棒によって作製されているので、ステンレス鋼保有の高い強度と丸棒の耐曲げ特性により、掛止体４の耐荷重性を向上させて重量の重い被掛止物１１の吊持掛止を許容することができる。
【００３５】
また、前記各実施形態では、被着体への取付部２をホットメルト接着材層によって構成しているが、被着体が着磁性を有する金属であれば、被着体への取付部２を永久磁石で構成すればよい。
【００３６】
なお、前記各実施形態において、吊持状態で掛止されている被掛止物１１の取り外しは、掛止単体４Ａを回動して、掛止単体４Ｂの上側または左側を開放することによって行うことができる。
【図面の簡単な説明】
【００３７】
【図１】本発明に係る掛止具の第１実施形態を示す正面図である。
【図２】図１の右側面図である。
【図３】図１の平面図である。
【図４】図４（ａ）は、透孔を利用して直接吊持状態で掛止される被掛止物の一例を部分的に示す斜視図であり、図４（ｂ）は、吊り環を介して吊持状態で掛止される被掛止物の一例を部分的に示す斜視図である。
【図５】図１の掛止具を天井または天板などの下面に取付けた状態の説明図である。
【図６】本発明に係る掛止具の第２実施形態を示す正面図である。
【図７】図６の右側面図である。
【図８】図６の平面図である。
【図９】図６の掛止具を天井または天板などの下面に取付けた状態の説明図である。
【図１０】従来例を裏側から見た斜視図である。
【図１１】従来例を表側から見た斜視図である。
【図１２】従来例を被着体の鉛直な表面に取付けた状態の説明図である。
【図１３】従来例を天井または天板などの下面に取付けた状態の説明図である。
【符号の説明】
【００３８】
１  掛止具
２  被着体への取付部
３  ベース
４  掛止体
４Ａ  一方の掛止単体
４ａ  一方の掛止単体の先端
４ａ１  一方の掛止単体の基端部
４Ｂ  他方の掛止単体
４ｂ  他方の掛止単体の先端
４ｂ１  他方の掛止単体の基端部
５  第１軸線
６  第２軸線
８  小さい隙間
９  被着体
１０  被着体
１１  被掛止物
【図１】
2010038306.tif 000003
【図２】
2010038306.tif 000004
【図３】
2010038306.tif 000005
【図４】
2010038306.tif 000006
【図５】
2010038306.tif 000007
【図６】
2010038306.tif 000008
【図７】
2010038306.tif 000009
【図８】
2010038306.tif 000010
【図９】
2010038306.tif 000011
【図１０】
2010038306.tif 000012
【図１１】
2010038306.tif 000013
【図１２】
2010038306.tif 000014
【図１３】
2010038306.tif 000015